(57)【特許請求の範囲】
【請求項１】
箱状に形成され、上部に複数の端子収容室を有するコネクタを装着するコネクタ挿入口を貫通形成してなるコネクタ受け部と、
前記コネクタ受け部の上面に前記コネクタ挿入口に装着した前記コネクタの上端部を押さえるように付勢され、コネクタ装着時に前記コネクタ挿入口から退避するように移動しコネクタ装着後に前記コネクタの上端部に係合するように摺動し該コネクタを係止する係止杆と、
前記コネクタ受け部の後端面から突出し、常時前記コネクタ受け部から突出する方向に付勢され、前記係止杆とリンク機構で接続され、前記コネクタ受け部から引っ込む方向に押すことによって、前記係止杆が、前記コネクタ挿入口から退避する方向に移動するように前記係止杆を駆動する係止解除作用杆と、
前記コネクタ受け部の下部に配置され前記複数の端子収容室に対応する複数の貫通孔が設けられる明かり受け部材と、
前記複数の貫通孔それぞれに設けられＬＥＤから照射された光を伝達する光ファイバと、
を備えてなり、
前記コネクタ挿入口は、該コネクタ挿入口に装着される前記コネクタのうち最も大きい該コネクタの形状に合わせて形成され、
前記複数の貫通孔は、前記コネクタ挿入口に装着される前記コネクタのうち最も大きい該コネクタの前記端子収容室の数の分、形成される
ことを特徴とするコネクタ受け装置。
【請求項２】
請求項１に記載のコネクタ受け装置と、
前記コネクタを複数個収納するスティックと、
前記コネクタを供給するスティックのコネクタ排出口側を挿入するスティック装着部と、
前記スティック装着部に挿通し、前記スティックのコネクタ排出口から供給される前記コネクタを一時収納し、先端に開口を備えるコネクタ収容ケースと、
前記コネクタ収容ケースと共に上下動し、最下位置に達したときに前記係止解除作用杆を前記コネクタ受け部から引っ込む方向に押圧する駆動係止杆と、
を備えることを特徴とするコネクタ受け装置へのコネクタ供給装置。
【発明の詳細な説明】
【技術分野】
【０００１】
本発明は、コネクタ受け装置、及びコネクタ受け装置へのコネクタ供給装置に係り、特にコネクタの装着を容易に行うことのできるコネクタ受け装置、及びコネクタ受け装置へのコネクタ供給装置に関するものである。
【背景技術】
【０００２】
自動車において使用されるワイヤハーネスは、車種毎に使用される種類、数が異なっている。すなわち、自動車の各車種毎にコネクタの種類、ワイヤハーネスの数が異なっており、これらのワイヤハーネスは、両端に端子を接続してある端子付き電線の端子をコネクタの端子収容室に挿入して接続したコネクタアッシーして予め製造され供給されている。このコネクタ付きワイヤーハーネスは、各自動車の車種毎に必要な種類の数が供給されている。
このようなコネクタ付きワイヤーハーネスを製造する装置として、例えば特許文献１に示すように、ハーネスサブアッシーの組立誘導装置が提案されている。
【０００３】
この特許文献１に示されるハーネスサブアッシーの組立誘導装置１は、特許文献１の図１に示されるように、各々異種のコネクタ２を収容する複数のコネクタボックス３と、各コネクタボックス３に設置された表示ランプ４と遮光センサ５と、竿状の電線支持具６に並列に保持された端子付電線７の取出側に設置された遮光式の歩進センサ８と、コネクタ２の輪郭形状と該コネクタ２の端子収容室の位置とを光表示するディスプレィ９を有する表示器１０と、ＣＰＵ（中央処理装置）１１とメモリー１２とを内蔵して該遮光センサ５と歩進センサ８と表示器１０とに接続された制御装置１３とにより構成されている。
【０００４】
そして、特許文献１のハーネスサブアッシーの組立誘導装置１は、表示器１０に使用すべきコネクタ２の形状が点滅等で光表示され、同時に複数のコネクタボックス３の内で使用すべきコネクタ２を有するボックス３の表示ランプ４が点滅等される。
すると、作業者がコネクタボックス３からコネクタ２を取り出すことにより遮光センサ５を作動し、コネクタ取出検知と表示器１０のコネクタ形状点灯等の次の作動準備とが行われる。
そして、作業者が電線支持具６から端子付電線７を取り出すことにより歩進センサ８が働き、逐一表示器１０に端子挿入位置が点滅等で光表示され、作業者は表示器１０を見ながら順次端子２７をコネクタ２内に挿入していき、複数のコネクタ２と端子付電線７とよりなるハーネスサブアッシー２０を完成させる。
【０００５】
この従来のハーネス接続装置１００は、図１３に示すように構成されている。
図１３において、ハーネス接続装置１００は、コネクタ１１０をセットするコネクタ受け部１０１と、明かり受けベース１０２とを備え、この明かり受けベース１０２の下部に、ＬＥＤ照射部１０３が設けられ、１つのケース１０４の中に収納されて構成されている。このコネクタ受け部１０１には、コネクタ１１０を挿入するコネクタ挿入口１０５が設けられている。
そして、このコネクタ受け部１０１のコネクタ挿入口１０５の縁部に、コネクタ挿入口１０５に挿入したコネクタ１１０を係止する係止部材１０６が設けられている。この係止部材１０６によってコネクタ挿入口１０５に挿入しされたコネクタ１１０は、簡単に抜けないように止められている。
【０００６】
ハーネス接続装置１００では、ＬＥＤ照射部１０３において、コネクタ受け部１０１にセットされたコネクタ１１０に設けられている複数の端子収容室１１０ａの内のどの端子収容室１１０ａに端子付き電線の端子を挿入するのかを、ＬＥＤを点灯して作業者に知らせるようになっている。
作業者は、コネクタ１１０の端子収容室１１０ａをのぞき込み、ＬＥＤの点灯によって支持された端子収容室１１０ａに端子付き電線の端子を挿入する作業を行う。
【０００７】
作業者の前には、作業工程においてハーネス接続装置１００のそれぞれのコネクタ挿入口１０５に挿入するコネクタ１１０に接続する複数本の端子付き電線を支持する電線支持具が支持具ベース材に設けられている。
【０００８】
作業者は、ハーネス接続装置１００のコネクタ受け部１０１のコネクタ挿入口１０５にハーネス接続装置１００で端子付き電線を接続する処理を行うコネクタ１１０を取り出して挿入する。そして、作業者は、ハーネス接続装置１００でコネクタ１１０のＬＥＤ照射部１０３によって指示された端子収容室１１０ａに電線支持具に取り付けられている端子付き電線を接続する。この端子付き電線が接続されたコネクタ１１０は、コネクタ受け部１０１のコネクタ挿入口１０５から取り外し、端子付き電線を電線支持具に引っ掛ける。このようにしてハーネス接続装置１００での作業は終了する。
【先行技術文献】
【特許文献】
【０００９】
【特許文献１】特開平７−１６９５５０号公報
【発明の概要】
【発明が解決しようとする課題】
【００１０】
このような従来のハーネス接続装置１００にあっては、まず、作業者が新しいコネクタ１１０をセットする毎に、手でコネクタ挿入口１０５に設けられている係止部材１０６を開放し、ハーネス接続装置１００のコネクタ受け部１０１のコネクタ挿入口１０５にコネクタ１１０をセットしている。そして、電線支持具に支持される端子付き電線の端子を取り出し、ＬＥＤ照射部のランプの誘導に基づいてコネクタ１１０の端子収容室１１０ａに端子を挿入して接続するため、接続を必要とする全てのコネクタ１１０に対し、その都度係止部材１０６を開放し、コネクタ１１０をコネクタ挿入口１０５にセットする動作が必要となり、コネクタを装着するのに手間が係り、作業効率が悪いという問題点を有している。
【００１１】
本発明の目的は、上記した事情に鑑みてなされたもので、コネクタを容易に装着することのできるコネクタ受け装置、及びコネクタを自動で装着することのできるコネクタ受け装置へのコネクタ供給装置を提供することにある。
【課題を解決するための手段】
【００１２】
上記課題を解決するためになされた請求項１記載のコネクタ受け装置は、箱状に形成され、上部に複数の端子収容室を有するコネクタを装着するコネクタ挿入口を貫通形成してなるコネクタ受け部と、
前記コネクタ受け部の上面に前記コネクタ挿入口に装着した前記コネクタの上端部を押さえるように付勢され、コネクタ装着時に前記コネクタ挿入口から退避するように移動しコネクタ装着後に前記コネクタの上端部に係合するように摺動し該コネクタを係止する係止杆と、
前記コネクタ受け部の後端面から突出し、常時前記コネクタ受け部から突出する方向に付勢され、前記係止杆とリンク機構で接続され、前記コネクタ受け部から引っ込む方向に押すことによって、前記係止杆が、前記コネクタ挿入口から退避する方向に移動するように前記係止杆を駆動する係止解除作用杆と、
前記コネクタ受け部の下部に配置され前記複数の端子収容室に対応する複数の貫通孔が設けられる明かり受け部材と、
前記複数の貫通孔それぞれに設けられＬＥＤから照射された光を伝達する光ファイバと、
を備えてなり、
前記コネクタ挿入口は、該コネクタ挿入口に装着される前記コネクタのうち最も大きい該コネクタの形状に合わせて形成され、
前記複数の貫通孔は、前記コネクタ挿入口に装着される前記コネクタのうち最も大きい該コネクタの前記端子収容室の数の分、形成されることを特徴としている。
【００１３】
上記課題を解決するためになされた請求項２記載のコネクタ受け装置は、請求項１に記載のコネクタ受け装置と、
前記コネクタを複数個収納するスティックと、
前記コネクタを供給するスティックのコネクタ排出口側を挿入するスティック装着部と、
前記スティック装着部に挿通し、前記スティックのコネクタ排出口から供給される前記コネクタを一時収納し、先端に開口を備えるコネクタ収容ケースと、
前記コネクタ収容ケースと共に上下動し、最下位置に達したときに前記係止解除作用杆を前記コネクタ受け部から引っ込む方向に押圧する駆動係止杆と、
を備えることを特徴としている。
【発明の効果】
【００１４】
本発明によれば、コネクタを容易に装着することができる。また、本発明によれば、コネクタを自動で装着することができる。
【図面の簡単な説明】
【００１５】
【図１】本発明に係るコネクタ受け装置へのコネクタ供給装置の全体構成図である。
【図２】図１に図示のコネクタ受け装置の全体斜視図である。
【図３】固定台に固定した状態のＬＥＤ照射ベースの平面図である。
【図４】本発明に係るコネクタ受け装置にコネクタを装着した状態の全体図である。
【図５】図１に図示のコネクタを収納するスティックの全体斜視図である。
【図６】図１に図示のスティック装着部とコネクタ収容ケースとコネクタ押さえ部材を示す斜視図である。
【図７】図１に図示の駆動係止杆とコネクタ収容ケースとコネクタ押さえ部材との関係を示す斜視図である。
【図８】図１に示すコネクタ受け装置へのコネクタ供給装置の側面図である。
【図９】図１に図示の本発明に係るコネクタ受け装置へのコネクタ供給装置の駆動係止杆によって係止解除作用杆をコネクタ受け部から引っ込む方向に押圧してコネクタ供給口にコネクタを装着する動作を説明するための図である。
【図１０】図１に図示の本発明に係るコネクタ受け装置へのコネクタ供給装置の駆動係止杆によって係止解除作用杆をコネクタ受け部から引っ込む方向に押圧してコネクタ供給口にコネクタを装着する動作を説明するための図である。
【図１１】図１に図示の本発明に係るコネクタ受け装置へのコネクタ供給装置の駆動係止杆によって係止解除作用杆をコネクタ受け部から引っ込む方向に押圧してコネクタ供給口にコネクタを装着する動作を説明するための図である。
【図１２】本発明に係るコネクタ受け装置を移動プレートに一作業工程分セットした状態の全体図である。
【図１３】従来のハーネス接続装置の全体構成図である。
【発明を実施するための形態】
【００１６】
以下、本発明の実施例について図面を用いて説明する。
【００１７】
図面図１〜図１２は、本発明に係るコネクタ受け装置、及びコネクタ受け装置へのコネクタ供給装置の実施例を示すものである。
図１は本発明に係るコネクタ受け装置へのコネクタ供給装置の全体構成図、図２は図１に図示のコネクタ受け装置の全体斜視図、図３は固定台に固定した状態のＬＥＤ照射ベースの平面図、図４は本発明に係るコネクタ受け装置にコネクタを装着した状態の全体図、図５は図１に図示のコネクタを収納するスティックの全体斜視図、図６は図１に図示のスティック装着部とコネクタ収容ケースとコネクタ押さえ部材を示す斜視図、図７は図１に図示の駆動係止杆とコネクタ収容ケースとコネクタ押さえ部材との関係を示す斜視図、図８は図１に示すコネクタ受け装置へのコネクタ供給装置の側面図、図９〜図１１は図１に図示の本発明に係るコネクタ受け装置へのコネクタ供給装置の駆動係止杆によって係止解除作用杆をコネクタ受け部から引っ込む方向に押圧してコネクタ供給口にコネクタを装着する動作を説明するための図、図１２は本発明に係るコネクタ受け装置を移動プレートに一作業工程分セットした状態の全体図である。
【００１８】
図１には、本発明に係るコネクタ受け装置と、コネクタ受け装置へのコネクタ供給装置の全体が示されている。
図１において、コネクタ供給装置１は、コネクタ受け装置２の上部に設けられている。
コネクタ受け装置２は、図２に示すような構成を有している。
図２において、コネクタ受け装置２には、コネクタ受け部３が設けられており、コネクタ受け部３には、コネクタ４を挿入するコネクタ挿入口５が設けられている。このコネクタ受け部３のコネクタ挿入口５は、挿入するコネクタ４に対応して、このコネクタ４の外形形状に合わせた形状となっている。
【００１９】
また、このコネクタ受け部３のコネクタ挿入口５は、コネクタ受け部３を貫通して形成されており、コネクタ受け部３の下側には、明かり受け部材６が取り付けられている。この明かり受け部材６は、光伝達プレート７と、受光プレート８とを有している。
光伝達プレート７には、表裏に貫通する穴９が複数個設けられている。この光伝達プレート７の穴９は、コネクタ受け部３のコネクタ挿入口５に装着されるコネクタ４の全ての形状、大きさに対応できるように、コネクタ４の最大の大きさ、形状に合わせて製造されている。
【００２０】
すなわち、光伝達プレート７の穴９は、１つの車種に使用する全てのコネクタ付きワイヤハーネスに使用されるコネクタ４の内、最も大きいコネクタ４の端子収容室４ａの数が３０個とした場合、最大３０個形成してある。
したがって、例えば、１つの車種に使用する全てのコネクタ付きワイヤハーネスに使用されるコネクタ４の内、最も小さいコネクタ４の端子収容室４ａの数が１０個とすると、光伝達プレート７に形成してある穴９の内、１番から１０番までの穴９の位置と、コネクタ４の端子収容室４ａの位置とが合うようにコネクタ受け部３のコネクタ挿入口５を形成することで対応している。
【００２１】
このように光伝達プレート７の穴９を形成しておくことにより、作業工程で接続する全てのコネクタ付きワイヤハーネスに使用されるコネクタ４の全てに対応できるものとなっている。
また、受光プレート８には、表裏に貫通する透孔１０が複数個設けられている。この受光プレート８の透孔１０は、光伝達プレート７の穴９の数に対応する数設けられている。すなわち、受光プレート８の透孔１０は、光伝達プレート７の穴９と同様、コネクタ受け部３のコネクタ挿入口５に装着されるコネクタ４の全ての形状、大きさに対応できるように、コネクタ４の最大の大きさ、形状に合わせて製造されている。
したがって、光伝達プレート７の穴９が、３０個とした場合、受光プレート８の透孔１０も３０個形成してある。
【００２２】
この光伝達プレート７と、受光プレート８とは、４本の支柱１１によって一定の距離を保って固定されている。
この光伝達プレート７の穴９のそれぞれと、受光プレート８の透孔１０のそれぞれは、光ファイバ１２によって一対一に接続されている。すなわち、例えば、光伝達プレート７の穴９は、１つの車種に使用する全てのコネクタ付きワイヤハーネスに使用されるコネクタ４の内、最も大きいコネクタ４の端子収容室４ａの数が３０個である場合、光伝達プレート９に３０個の穴９が形成されており、受光プレート８に３０個の透孔１０が形成されており、光ファイバ１２によって穴９と透孔１０とが一対一に接続されている。
【００２３】
したがって、光ファイバ１２によって受光プレート８の透孔１０の１番は、光伝達プレート７の穴９の１番と接続されており、受光プレート８の透孔１０の２番、３番、４番………は、光伝達プレート７の穴９の２番、３番、４番………と接続されている。
このようにして、受光プレート８の透孔１０で受けた光は、光ファイバ１２を介して光伝達プレート７の穴９に伝えられるようになっている。したがって、光伝達プレート７の穴９の形成位置と、受光プレート８の透孔１０の形成位置は、物理的に重なり合うように同じ位置に形成されている必要はない。
この光伝達プレート７の穴９と受光プレート８の透孔１０とによって明かり受け部材８の貫通孔が構成されている。
【００２４】
このように光伝達プレート７の穴９は、１つの車種に使用する全てのコネクタ付きワイヤハーネスに使用されるコネクタ４の内、最も大きいコネクタ４の端子収容室４ａの数が２６個とした場合、最大２６個形成してある。
したがって、例えば、１つの車種に使用する全てのコネクタ付きワイヤハーネスに使用されるコネクタ４の内、最も小さいコネクタ６の端子収容室４ａの数が１０個とすると、光伝達プレート７に形成してある穴９の内、１番から１０番までの穴９の位置と、コネクタ４の端子収容室４ａの位置とが合うようにコネクタ受け部３のコネクタ挿入口５を形成することで対応することができる。
【００２５】
この受光プレート８は、作業工程の移動ラインの移動プレート１５の上に必要個数設置されている。
コネクタ受け部３は、光伝達プレート７に固定されており、光伝達プレート７は、４本の支柱１１によって受光プレート８に固定されている。すなわち、コネクタ受け装置２を構成するコネクタ受け部３と明かり受け部材６とは一体に構成されている。このため、移動プレート１５を移動すると、移動プレート１５に載置されている全コネクタ受け装置２が移動する。
【００２６】
受光プレート８の下側には、図３に示すようなＬＥＤ照射部１３が受光プレート８と分離した状態で設けられている。すなわち、受光プレート８とＬＥＤ照射部１３とは重ねられて載置されるが、受光プレート８とＬＥＤ照射部１３とは、互いを固定するようには構成されていない。
したがって、受光プレート８が移動しても、ＬＥＤ照射部１３は、受光プレート８と一緒に移動することはない。
【００２７】
このＬＥＤ照射部１３には、図３に示すように、表裏に貫通する孔１４が複数個設けられている。このＬＥＤ照射部１３の孔１４は、コネクタ受け部３のコネクタ挿入口７に挿入されるコネクタ４の端子収容室４ａの数に対応した数設けられている。
すなわち、ＬＥＤ照射部１３の孔１４は、１つの車種に使用する全てのコネクタ付きワイヤハーネスに使用されるコネクタ４の内、最も大きいコネクタ４の端子収容室４ａの数が３０個である場合、３０個形成されている。
そして、ＬＥＤ照射部１３の孔１４は、受光プレート８の透孔１０と物理的に一対一に対応する位置に形成されている。
【００２８】
このＬＥＤ照射部１３の表裏に貫通する孔１４には、コネクタ受け装置２のそれぞれのコネクタ受け部３のコネクタ挿入口５に装着されるコネクタ４の端子収容室４ａに対応する数のＬＥＤが設けられている。
したがって、コネクタ受け部３のコネクタ挿入口５に装着されるコネクタ４の端子収容室４ａの数が最大３０個であれば、ＬＥＤ照射部１３の孔１４は、３０個設けられ、この３０個の孔１４には、それぞれＬＥＤが装着されている。
【００２９】
そして、このＬＥＤ照射部１３は、コネクタ受け装置２毎に設けられており、作業工程に設けられているコネクタ受け装置２の数の分設けられている。
このＬＥＤ照射部１３は、各作業工程の製造ラインに設けられている固定部材に固定されており、この固定部材は、各作業工程に設けられている。したがって、固定部材は、製造ライン上を移動することはない。
【００３０】
このように構成されるコネクタ受け装置２は、移動プレート１５の上に図４に示すように、作業工程における作業工程で製造するコネクタ付きワイヤハーネスに必要な数のコネクタ４の数に応じた数が設けられている。
すなわち、コネクタ受け装置２が移動プレート１５の上に１列にコネクタ６ａ〜６ｅの５個設けられている。これらの個数は、一例であり、移動プレート１５の上には、コネクタ取付作業を行う全作業工程で製造するコネクタ付きワイヤハーネスの数に対応するコネクタ受け装置２が設けられている。
【００３１】
このコネクタ受け装置２のコネクタ受け部３の上面には、コネクタ挿入口５に装着するコネクタ４の上端部４ｂを押さえ付けて、コネクタ４がコネクタ受け部３のコネクタ挿入口５から容易に離脱しないようにコネクタ４を係止する係止杆１６が設けられている。
この係止杆１６は、横断面略矩形状の角棒状に形成されており、先端部がコネクタ４の上端部４ｂの一部を覆い、コネクタ４がコネクタ受け部３のコネクタ挿入口５から飛び出ることがないようになっている。
【００３２】
この係止杆１６は、コネクタ受け装置２のコネクタ受け部３の上面に取り付けられている断面コ字状に形成されるガイド部材１７によってコネクタ挿入口５に対し進出自在に案内されるようになっている。
そして、係止杆１６は、コネクタ受け部３の内部に設けられている図示されていないスプリングによって常時コネクタ受け部３のコネクタ挿入口５側に付勢されており、通常時は、先端部がコネクタ挿入口５の上に一部が突出した状態となっている。
【００３３】
また、コネクタ受け装置２のコネクタ受け部３の後部側面には、コネクタ受け部３の後端面から突出する係止解除作用杆１９が係止杆１６に平行に設けられている。この係止解除作用杆１９は、角棒状に形成され、後端部の上部角に後端面に向かって傾斜するテーパー面２０が形成されている。
係止解除作用杆１９は、長さ方向に摺動可能に構成され、常時コネクタ受け部３から突出する方向に付勢されており、係止杆１６とリンク機構で接続されている。すなわち、係止解除作用杆１９をコネクタ受け部３の内部に入り込む方向に摺動すると、係止杆１６がコネクタ挿入口５の上部から退避する方向に移動するように駆動する。
また、コネクタ受け装置２のコネクタ受け部３の先端上部角部には、下方に向かって傾斜するテーパー面３ａが形成されている。
【００３４】
したがって、コネクタ４をコネクタ受け部３のコネクタ挿入口５に挿入する際には、係止解除作用杆１９をコネクタ受け部３の内部に入り込む方向に摺動する。すると、係止杆１６は、コネクタ受け部３のコネクタ挿入口５の突出している位置から後端部に向けてスライドし、コネクタ挿入口５を開放する。
そして、係止解除作用杆１９を押した状態で、すなわち、係止杆１６の先端部がコネクタ挿入口５から外れるように移動した状態に維持したままで、コネクタ受け部３のコネクタ挿入口５にコネクタ４を挿入する。
【００３５】
その後、押していた係止解除作用杆１９を離す。すると、コネクタ受け部３の内部に設けられているスプリングの作用により、係止杆１６は押されて、コネクタ受け部３のコネクタ挿入口５に装着されたコネクタ４の上端部４ｂの上に移動する。そして、係止杆１６の先端部がコネクタ４の上端部４ｂを覆い、コネクタ４がコネクタ受け部３のコネクタ挿入口５から飛び出ることがないように係止する。
そして、コネクタ受け部３のコネクタ挿入口５に装着されたコネクタ４の端子収容室４ａに端子付き電線の端子を挿入して接続作業を行い、コネクタ付きワイヤハーネスの製造を行う。
【００３６】
コネクタ受け部３のコネクタ挿入口５に装着されたコネクタ４の端子収容室４ａに端子付き電線の端子の接続が完了すると、コネクタ受け部３のコネクタ挿入口５から装着されたコネクタ４を取り出す。このコネクタ挿入口５からコネクタ４を取り出すには、まず、係止解除作用杆１９をコネクタ受け部３の内部に入り込む方向に摺動する。すると、係止杆１６は、コネクタ受け部３のコネクタ挿入口５の突出している位置から後端部に向けてスライドし、コネクタ挿入口５が開放される。
そして、係止解除作用杆１９を押した状態で、すなわち、係止杆１６の先端部がコネクタ挿入口５から外れれるように移動した状態に維持したままで、コネクタ受け部３のコネクタ挿入口５から接続した端子付き電線を引っ張ってコネクタ４を取り外す。
【００３７】
その後、押していた係止解除作用杆１９を離す。すると、コネクタ受け部３の内部に設けられているスプリングの作用により、係止杆１６は押されて、コネクタ受け部３のコネクタ挿入口５に装着されたコネクタ４の上端部４ｂの上に移動する。そして、係止杆１６の先端部がコネクタ受け部３のコネクタ挿入口５に係る位置に移動する。
このようにして、端子付き電線が接続されたコネクタ４は、全てのコネクタ受け装置２のコネクタ受け部３から取り出される。
【００３８】
コネクタ供給装置１は、取付枠２１を有している。この取付枠２１は、パイプによって形成されており、竪桟２２、２３に横桟２４、２５、２６が渡されて構成されている。横桟２４は、取付枠２１の最上段に設けられ、この横桟２４の下側に、横桟２５が、この横桟２５の下側に、横桟２６が設けられている。
【００３９】
横桟２４には、バランサ２７の上端が取り付けられており、このバランサ２７の下端には、コネクタ供給装置１を設ける矩形状に形成される移動フレーム２８が取り付けられている。
また、横桟２５には、横桟２６に渡して、ガイドフレーム２９、３０が所定の間隔を持って設けられている。このガイドフレーム２９、３０は、断面コ字状のレール状に形成されている。
【００４０】
また、移動フレーム２８の中間位置には、中間フレーム２８ａが設けられており、移動フレーム２８の外側てガイドフレーム２９、３０に対応した位置に、板状の移動部材３１、３２が、取り付けられている。この移動部材３１、３２の外側には、それぞれに、回転自在に形成されるプーリーがガイドフレーム２９、３０に装着されており、移動フレーム２８を上下動すると、移動フレーム２８と共に移動部材３１、３２が上下動する。
移動フレーム２８は、下に移動すると、移動部材３１、３２に取り付けられているプーリーが回転してガイドフレーム３１、３２にガイドされてスムーズに上下動することができるようになっている。この移動フレーム２８は、バランサ２７の作用によって、自由な位置に止めておくことができるようになっている。
【００４１】
コネクタ供給装置１は、コネクタ受け部３のコネクタ挿入口５に装着されたコネクタ４を収納するスティック３３を備えている。このスティック３３は、図５に示すように、合成樹脂を材料として、それぞれ縦長の側壁３３ａによって断面略矩形筒状に形成され、上下端にコネクタ排出口３３ｂと、コネクタ供給口３３ｃが形成されている。このコネクタ排出口３３ｂと、コネクタ供給口３３ｃとは、同一の形状に形成されており、上下の区別なく使用することが可能となっている。
また、スティック３３は、合成樹脂を材料に限られず、表面の滑らかな滑りの良いアルミ等の金属材で形成することも可能である。
このスティック３３は、コネクタ受け装置２のコネクタ受け部３のコネクタ挿入口５にコネクタ４を供給するため、複数のコネクタ４を収納するためのものである。
【００４２】
また、コネクタ供給装置１には、コネクタ４を供給するスティック３３のコネクタ排出口３３ｂ側を挿入するスティック装着部３４が設けられている。
スティック装着部３４は、図６に示すように、矩形の筒状に形成され、上端開口部３５には、スティック３３が挿入されるように形成されている。したがって、スティック装着部３４の上端開口部３５の内径は、スティック３３の外径よりも若干大きい径に形成されている。
このスティック装着部３４は、スティック３３のコネクタ排出口３３ｂ側を挿入して、スティック３３が立った状態で保持できるような長さに形成されている。
【００４３】
このスティック装着部３４の下端部３６は、固定板材３７に固定されている。この固定板材３７は、移動フレーム２８の外側のフレームと中間フレーム２８ａとの間に橋渡されている。すなわち、スティック装着部３４は、移動フレーム２８に支持されている。この固定板材３７のスティック装着部３４の設けられた位置には、スティック３３の内径と同じ形状で同じ大きさの穴（図示されていない）が形成されており、スティック３３のコネクタ排出口３３ｂから落下するコネクタ４を通過させるようになっている。
このように固定板材３７に形成される穴の径は、スティック装着部３４の上端開口部３５の内径よりも小さい径となっているため、スティック装着部３４の上端開口部３５にスティック３３を挿入すると、スティック３３の先端のコネクタ排出口３３ｂ側が固定板材３７の穴の縁で止められた状態となる。
【００４４】
固定板材３７の下面で、穴の形成されている位置には、図７に示すように、コネクタ収容ケース３８が固着されている。このコネクタ収容ケース３８は、矩形の筒状に形成され、上端が固定板材３７の下面に固着されており、下端に開口３９が形成されている。
【００４５】
このコネクタ収容ケース３８の側面３８ａには、コネクタ押さえ部材４０が取り付けられている。
コネクタ押さえ部材４０は、コネクタ収容ケース３８の下端に開口３９からコネクタ収容ケース３８に収容されたコネクタ４が落下しないように押さえつけて停止させる作用を有するものである。
このコネクタ押さえ部材４０には、略三角形状に形成され、頂点の中央部をピン４１で回動自在に軸支される駆動部材４２が設けられている。
【００４６】
このコネクタ押さえ部材４０の駆動部材４２は、頂点に設けられるコイル部材４８によって上部４２ａが常時外側に付勢されており、下部４２ｂが常時コネクタ収容ケース３８の側面３８ａ側に付勢されている。
コネクタ押さえ部材４０の駆動部材４２の下部４２ｂには、螺子部材４３が設けられている。この螺子部材４３は、駆動部材４２の下部４２ｂを貫通し先端にゴム部材４４が設けられている。この螺子部材４３の先端のゴム部材４４は、コネクタ収容ケース３８の先端開口３９から突出しているコネクタ４に当接して、コネクタ４がコネクタ収容ケース３８の先端開口３９から落下するのを防止している。
【００４７】
また、駆動部材４２のコネクタ受け装置２側の先端には、内側から外側に向かって傾斜するテーパー面４５が形成されてり、このテーパー面４５の傾斜角は、コネクタ受け部３の先端上部角部に下方に向かって傾斜するテーパー面３ａと符合するように形成されている。
【００４８】
また、移動フレーム２８の外側で、コネクタ収容ケース３８の近傍に駆動係止杆４６が設けられている。
この駆動係止杆４６は、コネクタ収容ケース３８と共に上下動し、最下位置に達したときに係止解除作用杆１９をコネクタ受け部３から引っ込む方向に押圧し、コネクタ受け部３の内部に入り込む方向に摺動する。係止解除作用杆１９がコネクタ受け部３から引っ込む方向に摺動すると、係止杆１６は、コネクタ受け部３のコネクタ挿入口５の突出している位置から後端部に向けてスライドし、コネクタ挿入口５を開放する。
この駆動係止杆４６の先端は、コネクタ受け部３側から外側に向かって傾斜するテーパー面４７が形成されており、このテーパー面４７の傾斜角は、係止杆１６を駆動する係止解除作用杆１９の後端部の上部角に後端面に向かって傾斜するテーパー面２０と符合するように形成されている。
【００４９】
次に、コネクタ受け装置２へのコネクタ供給装置１の作用について、図９〜図１１を用いて説明する。
まず、コネクタ受け装置２のコネクタ受け部３の上部からコネクタ供給装置１を下げてくる。すると、駆動係止杆４６の先端のテーパー面４７が係止杆１６を駆動する係止解除作用杆１９の後端部の上部角に後端面に向かって傾斜するテーパー面２０に当接する。
さらにコネクタ供給装置１を押し下げると、駆動係止杆４６の先端のテーパー面４７によって、係止解除作用杆１９をコネクタ受け部３から引っ込む方向に押圧し、コネクタ受け部３の内部に入り込む方向に摺動させる。
【００５０】
すると、係止解除作用杆１９の作用によって、係止杆１６が、コネクタ受け部３のコネクタ挿入口５の突出している位置から後端部に向けてスライドする。すると、コネクタ挿入口５が開放する。
さらにコネクタ供給装置１を押し下げると、コネクタ押さえ部材４０の駆動部材４２の下部４２ｂに形成される内側から外側に向かって傾斜するテーパー面４５がコネクタ受け部３の先端上部角部に下方に向かって傾斜するテーパー面３ａに当接する。
そして、さらにコネクタ供給装置１を押し下げると、コネクタ受け部３の先端上部角部に下方に向かって傾斜するテーパー面３ａによってコネクタ押さえ部材４０の駆動部材４２の下部４２ｂが押し広げられる。
【００５１】
すると、コネクタ押さえ部材４０の駆動部材４２の下部４２ｂを貫通して設けられている螺子部材４３の先端のゴム部材４４によるコネクタ収容ケース３８の先端開口３９から突出しているコネクタ４への当接が解除される。
この螺子部材４３のコネクタ４への当接が解除されると、コネクタ４を押さえる力がなくなり、コネクタ４は、コネクタ収容ケース３８の先端開口３９から落下し、コネクタ受け部３のコネクタ挿入口５に装着される。
【００５２】
このコネクタ供給装置１を用いてコネクタ受け装置２のコネクタ受け部３のコネクタ挿入口５に装着する操作は、移動プレート１５の上に取り付けられているコネクタ受け装置２の全てに対して、一度に行う。図１においては、説明の都合上コネクタ供給装置１を２つしか示してないが、図１２に示すように、コネクタ受け装置２が複数個設けられている場合には、そのコネクタ受け装置２の数の全てに対応できるように、コネクタ供給装置１がコネクタ受け装置２の数分設けられている。
【００５３】
この他、本発明は本発明の主旨を変えない範囲で種々変更実施可能なことは勿論である。
【符号の説明】
【００５４】
１………………………コネクタ供給装置
２………………………コネクタ受け装置
３………………………コネクタ受け部
３ａ……………………テーパー面
４………………………コネクタ
４ａ……………………端子収容室
４ｂ……………………上端部
５………………………コネクタ挿入口
６………………………明かり受け部材
７………………………光伝達プレート
８………………………受光プレート
９………………………穴
１０……………………透孔
１１……………………支柱
１２……………………光ファイバ
１３……………………ＬＥＤ照射部
１４……………………孔
１５……………………移動プレート
１６……………………係止杆
１８……………………テーパー面
１９……………………係止解除作用杆
２０……………………テーパー面
２１……………………取付枠
２７……………………バランサ
２８……………………移動フレーム
２９、３０……………ガイドフレーム
３３……………………スティック
３４……………………スティック装着部
３７……………………固定板材
３８……………………コネクタ収容ケース
３９……………………開口
４０……………………コネクタ押さえ部材
４１……………………ピン
４２……………………駆動部材
４３……………………螺子部材
４４……………………ゴム部材
４５……………………テーパー面
４６……………………駆動係止杆
４７……………………テーパー面
【図１】
0006495639.tif 000002
【図２】
0006495639.tif 000003
【図３】
0006495639.tif 000004
【図４】
0006495639.tif 000005
【図５】
0006495639.tif 000006
【図６】
0006495639.tif 000007
【図７】
0006495639.tif 000008
【図８】
0006495639.tif 000009
【図９】
0006495639.tif 000010
【図１０】
0006495639.tif 000011
【図１１】
0006495639.tif 000012
【図１２】
0006495639.tif 000013
【図１３】
0006495639.tif 000014